(57)【特許請求の範囲】
【請求項１】
複数の映像を個別に投影するための複数の投影装置と、
前記各投影装置から投影される映像を個別に表示するための複数のスクリーンと、
前記各スクリーンに対向して配置され、前記各スクリーンに投影された映像を鑑賞するための複数の座席と、
前記各スクリーンと前記複数の座席との間に配置され、前記各スクリーンに投影された映像の反射映像を前記各座席に座る鑑賞者に鑑賞させるように、前記鑑賞者の視点位置よりも低い液面位置を有して液体を保持するための液体槽と、
前記液体槽の液面に上方から直接的に映像を投影するための液面用投影装置と、
前記液体槽の内部から液体を液面に向けて噴出することにより、前記液面に波紋を生成するための複数の波紋生成装置と、
を備えており、
前記液体槽は円形の平面形状を有しており、当該液体槽の中心における仮想的な垂直軸を中心にして前記各座席、前記各スクリーン、前記各投影装置及び前記各波紋生成装置が回転対称に配置されるように、前記複数の座席が当該液体槽の周囲を囲むように配置され、前記各スクリーンが当該複数の座席の周囲を囲むように配置され、前記各投影装置が前記各スクリーンに個別に対向配置されたことを特徴とする映像表示システム。
【発明の詳細な説明】
【０００１】
【発明の属する技術分野】
本発明は、液体槽の液面に映像を表示するための映像表示システムに係り、特に、スクリーンに投影した映像を液体槽の液面に映り込ませることにより、演出効果を向上し得る映像表示システムに関する。
【０００２】
【従来の技術】
従来、映像表示システムの一種として、水槽に映像や照明を投射し、水槽内の空間を演出する方式が考えられている。
【０００３】
この方式は、例えば水泳プール等の水槽に対し、真上から魚や競泳選手などの各種の映像を投影することにより、水泳プールの底面又は水中のスクリーンにこれらの映像を表示させ、所望の演出効果を実現可能としている。
【０００４】
【発明が解決しようとする課題】
しかしながら以上のような映像表示システムは、通常は十分な演出効果を実現し得るものの、本発明者の考察によれば、液体の持つ面白さが十分に活用された演出とは言えず、未だ演出効果に向上の余地があると考えられる。
【０００５】
本発明は上記実情を考慮してなされたもので、液体槽を含む空間を演出する際に、壁面の映像を反射させて液体槽の液面に映り込ませることにより、演出効果を向上し得る映像表示システムを提供することを目的とする。
【０００６】
【課題を解決するための手段】
請求項１に対応する発明は、複数の映像を個別に投影するための複数の投影装置と、前記各投影装置から投影される映像を個別に表示するための複数のスクリーンと、前記各スクリーンに対向して配置され、前記各スクリーンに投影された映像を鑑賞するための複数の座席と、前記各スクリーンと前記複数の座席との間に配置され、前記各スクリーンに投影された映像の反射映像を前記各座席に座る鑑賞者に鑑賞させるように、前記鑑賞者の視点位置よりも低い液面位置を有して液体を保持するための液体槽と、前記液体槽の液面に上方から直接的に映像を投影するための液面用投影装置と、前記液体槽の内部から液体を液面に向けて噴出することにより、前記液面に波紋を生成するための複数の波紋生成装置と、を備えており、前記液体槽は円形の平面形状を有しており、当該液体槽の中心における仮想的な垂直軸を中心にして前記各座席、前記各スクリーン、前記各投影装置及び前記各波紋生成装置が回転対称に配置されるように、前記複数の座席が当該液体槽の周囲を囲むように配置され、前記各スクリーンが当該複数の座席の周囲を囲むように配置され、前記各投影装置が前記各スクリーンに個別に対向配置された映像表示システムである。
【０００９】
（作用）
従って、請求項１に対応する発明は以上のような手段を講じたことにより、鑑賞者はスクリーンに投影された映像を直接的に鑑賞できると共に、このスクリーンに投影された映像を液体槽の液面で反射された反射映像として鑑賞できる。このように、液体槽を含む空間を演出する際に、壁面の映像を液体槽の液面に映り込ませることにより、演出効果を向上させることができる。
【００１０】
また、請求項１に対応する発明は、前述した作用に加え、液体槽の液面に上方から直接的に投影した映像を前述した反射映像に重ねることができる。このように、液面の反射映像に他の映像を重ねて鑑賞できるようにしたので、さらに演出効果を向上させることができる。
【００１１】
さらに、請求項１に対応する発明は、前述した作用に加え、液面に波紋を生成することにより、得られた波紋に応じて、より一層、演出効果を向上させることができる。
また、液体槽を中心に全周囲をスクリーンで構成することにより、液面を中心にした空間全体を演出でき、３６０度シアターとして一体感のある空間を実現することができる。  
また、スクリーンと液体槽とが合わさった映像により、内壁と底部が映像で包み込まれた３６０度シアターを実現するので、高い没入感の映像表示を実現することができる。
【００１２】
【発明の実施の形態】
以下、本発明の各実施形態について図面を参照して説明する。
（第１の実施形態）
図１は本発明の第１の実施形態に係る映像表示システムの平面構成を示す模式図であり、図２は図１の２−２線矢視断面図である。この映像表示システムは、投影装置１、スクリーン２、複数の座席３、水鏡（液体槽）４及び波紋生成装置５から構成されている。
【００１３】
ここで、投影装置１は、図示しない再生装置から送られる映像信号に基づいて、映像をスクリーン２に投影するためのプロジェクタであり、ここではスクリーン２上端の高さで水鏡４上方に位置して取付部材（図示せず）に取付られている。但し、これに限らず、投影装置１は、スクリーン２と各座席３との間の直接映像の光路及び反射映像の光路から外れていれば、水鏡４又は座席３の上方、あるいは対向側の壁面といった任意の位置に配置可能であり、また、スクリーン２裏側（座席３とは反対側）の任意の位置に配置されてもよい。なお、図示しないが、投影装置１は、スクリーン２の全域に映像を投影可能なように複数台が配置されている。また、投影装置１により投影される映像は、動画又は静止画のいずれとしてもよく、例えばＣＧ(computer graphics)映像、絵画等のスライド映像、記録写真などの任意のものが適宜、組合せて使用可能となっている。
【００１４】
スクリーン２は、壁面６に沿って配置され、投影装置１から投影される映像を表示するものであり、図１では凹面形状を有しているが、実際には平板形状を有する複数枚のスクリーン（多角形のスクリーン）が凹面形状の内壁に沿って配置されている。但し、スクリーン２は、平板形状のものに限らず、図示した通りに凹面形状（円周状のスクリーン）を有していてもよい。
【００１５】
各座席３は、床面７上でスクリーン２に対向して配置され、着席又は横になった鑑賞者８に対し、スクリーン２に投影された映像を鑑賞させるためのものであり、椅子形、ソファ形、ベンチ形、長板形（背もたれ無し）、かすがい形などの任意の形状が使用可能となっている。なお、立ち見でも良いことは言うまでもない。
【００１６】
なお、各座席３は、図２中では、スクリーン２の下端部よりも低い位置に配置されるが、これに限らず、スクリーン２を低めに配置することにより、スクリーン２と同等の高さに配置されてもよい。
【００１７】
また、各座席３は、図１中では鑑賞者８が１人しか座っていないが、複数人が着席するためのものであることは言うまでもない。ここで、「複数の座席」の語は、「１人用の座席が複数台あること」と、「複数人用の座席が１台あること」と、「複数人用の座席が複数台あること」との全てを含む概念を示しており、「複数人が着席可能な座席」と読み替えてもよい。
【００１８】
また、各座席３は、図１中では径方向に沿った通路を設けていないが、適宜、人が通行可能な通路を設けてもよい。この各座席３の説明は、後述する各実施形態でも同様である。
【００１９】
水鏡４は、床面７上でスクリーン２と複数の座席３との間に配置され、スクリーン２に投影された映像の反射映像を各座席３に座る鑑賞者８に鑑賞させるように、鑑賞者８の視点位置よりも低い水面位置を有して水を保持する液体槽であり、底部に波紋生成装置５が配置されている。
【００２０】
なお、水鏡４の形状及び寸法は、任意であり、ここでは直径９ｍ〜１０ｍ程度の円形状の平面形状とするが、後述する第３の実施形態では短辺が９ｍ程度の長方形としている。また、水鏡４の寸法は、没入感を持たせる観点からは底面積が大きい方が好ましく、例えば、図３に示すように、スクリーン２側に延長させた構成としてもよい。
【００２１】
また、水面での反射映像と、底面での反射映像とをほぼ一致させたい場合には、水深を浅くするか又は浅い水深部にて反射用のスクリーン部を設けることが好ましい。
【００２２】
また、水鏡４の内壁及び底部の色は、黒、青又はグレー等の任意の色が使用可能であるが、本実施形態のように反射映像に適用する場合、黒、グレー、シルバー、青が好ましい。
【００２３】
また、水鏡４は、水を保持する水槽に限らず、反射率の高い他の液体を保持する液体槽であればよい。また、水鏡４は、ガラス又は鏡面部材といった反射率の高い他の部材を水中又は液体中に保持してもよい。なお、本実施形態では、液体が水の場合で説明する。
【００２４】
波紋生成装置５は、水鏡４底部に配置され、外部からの制御に応じて水を水面に向けて弱めに噴出することにより、波紋を生成するものである。ここで、「波紋」の語は、水滴をイメージさせるための単発的又は間欠的なものと、さざ波をイメージさせるための連続的なものとのいずれとしてもよい。
【００２５】
なお、波紋生成装置５は、水の噴出圧力が高い場合、噴水装置として機能する。この噴水も同様に、通常の連続的なものと、水しぶきをイメージさせるための単発的又は間欠的なものとのいずれとしてもよい。
【００２６】
係る波紋生成装置５は、反射映像を単に水鏡４に映すだけではなく、液体が持つ不定形状の特徴を利用するものであり、演出効果を増大させる観点から、例えば漁師達が水にモリをさす旨の映像に同調して水鏡４から水しぶきがほとばしる、というように映像と連動して制御してもよい。但し、波紋生成装置５は、演出内容によっては省略してもよい。また、波紋生成装置５に限らず、噴水装置、噴霧器、ドライアイス等による霧生成装置、各種の照明、音響設備等を併用してＣＧ等の映像による演出効果を増大させてもよいことは言うまでもない。
【００２７】
次に、以上のように構成された映像表示システムの作用を説明する。
図２又は図３に示すように、投影装置１から投影された映像Ｐは、まず、スクリーン２に表示される。また、図２及び図４、あるいは図３及び図５に示すように、投影装置１から投影された映像Ｐは、スクリーン２に表示され、座席３に座った鑑賞者８に直接的に視認される直接映像Ｐｄとして鑑賞されると共に、水鏡４の水面又は底面に反射した２通りの反射映像（；上下反転映像）Ｐｒとして鑑賞者８に鑑賞される。
【００２８】
従って、スクリーン１の映像を直接的に鑑賞できると共に、スクリーン２の映像を水面又は底面に反射させても鑑賞できるので、水面での映像の重なりや反射映像Ｐｒの持つ奥行き感、スクリーン面・水面・底面の各映像が織り成す映像空間を提供することができる。つまり、ある映像を一度に異なった映像演出で鑑賞することができる。これにより、鑑賞者は映像への没入感と、映像への幻想的な感覚が得られる。
【００２９】
係る映像空間は、図３及び図５の場合、鑑賞者８の視野の大半が映像で包み込まれる空間であり、従来に無い映像演出効果を実現させることができる。また、水鏡４に任意の映像で演出することができる。
【００３０】
また、適宜、波紋生成装置５を用いて水鏡４の水面に波紋を生成することにより、波紋に見合った演出効果を得ることができる。
【００３１】
続いて、以上のような直接映像Ｐｄ、反射映像Ｐｒ及び波紋からなる演出効果に関し、反射映像Ｐｒの見え方について詳細に説明する。
図６（ａ）〜（ｃ）に示すように、水鏡４の水面をｙ＝０とし、スクリーン２の表面をｘ＝０としたとき、１列目の座席３での視点を視点Ａ1（ｘ1，ｙ1）とする。次に、視点Ａ1をｘ軸を中心に反転させた直接的な視点Ａ1’（ｘ1，−ｙ1）を求め、スクリーン２から出射した光線９の束が直接的な視点Ａ1’（ｘ1，−ｙ1）に収束する様子の四角錘状の光線９の束を考える。
【００３２】
次に、四角錐状の光線９の束をｘ軸で折り返して頂点が本来の視点Ａ1に収束する様子を考える。このとき、スクリーン２上の映像は、スクリーン２から出射して水鏡４の水面で反射して本来の視点Ａ1に至る光線９の束として、鑑賞者８に視認される。
【００３３】
換言すると、水面における反射映像Ｐｒは、スクリーン２と直接的な視点Ａ1’とを結ぶ光線９の束をｘ軸（ｙ＝０の線）で切断し、この切断面を本来の視点Ａ1側から見た映像Ｐｒに相当する。
【００３４】
また、水面における反射映像Ｐｒは、図７（ａ）〜（ｃ）に示すように、座席３の列番号による鑑賞のされ方を比較した場合、１列目の鑑賞者８の視点Ａ1からは比較的小さい映像として鑑賞され、２列目、３列目、…のように、水鏡から離れた列の鑑賞者８の視点Ａ2，Ａ3，…になるに従い、ｘ軸による切断面が大きくなるので、比較的大きい映像として鑑賞される。
【００３５】
すなわち、視点Ａが水面から離れる（つまり、ｘ軸方向に離れる）ほど反射映像Ｐｒは大きく見え、水面との距離と角度により異なる表現の映像を鑑賞させることができる。また、スクリーン２の画面サイズの拡大・縮小に伴ない、反射映像の画面サイズを拡大・縮小させて鑑賞させることができる。
【００３６】
上述したように本実施形態によれば、投影装置１からの映像Ｐをスクリーン２に投影された映像Ｐｄとして直接的に鑑賞できると共に、映像Ｐを水鏡４の水面及び／又は底面で反射された反射映像Ｐｒとして鑑賞できる。このように、水鏡４を含む空間を演出する際に、スクリーン面の映像を水鏡４の水面等に映り込ませることにより、演出効果を向上させることができる。
【００３７】
補足すると、スクリーン２の映像を水面に反射させることにより、水面での映像の重なりや反射映像の持つ奥行き感、スクリーン面・水面・底面の各映像が織り成す映像空間を得ることができる。この映像空間は、これまでにない映像演出効果を生み出すことができ、水鏡４としての水面の在る空間を任意に演出することができる。
【００３８】
また、水面での像の反射（映り込み）や水面のゆらぎが鑑賞者８に水を実感させ、水の不定形状による不可思議且つ幻想的な映像を演出することができる。さらに、反射映像Ｐｒの虚像（反対に写る像）や歪みを利用して幻想的な映像をも展開することができる。
【００３９】
また、波紋生成装置５により、水鏡４の水面に波紋を生成するので、波紋による演出効果を生成することができる。
これらにより、例えば静謐な水鏡４の中からわき上がる様々なイメージを眺めるヒーリングシアターを実現することができる。また、水鏡４を用いることにより、しばし喧燥を忘れ、水が育む自然の営みをゆったりと楽しむための癒しの空間を演出することができる。すなわち、派手なスペクタクルよりも、本物の水の有している柔らかな表現、水に映り込む映像、光、水が描く波紋などを静かに楽しむような演出を好適に実現することができる。また、このような癒しの演出は、シアターに限らず、保養所、休憩室又は飲食店などといった任意の施設に行なってもよいことは言うまでもない。
【００４０】
なお、以上の効果は特殊な映像器材を用いずに得ることができる。一方、可動プロジェクタ等の特殊な映像器材を用いる場合、以上の効果に加え、スクリーン面の直接映像Ｐｄと、水面及び底面の反射映像Ｐｒを連動させて構成する際に、より一層、演出効果を増大させることができる。このような演出効果の増大は、噴霧器等を用いた場合にも同様に得ることができる。
【００４１】
（第２の実施形態）
図８は本発明の第２の実施形態に係る映像表示システムの断面構成を示す模式図であり、図１の８−８線矢視断面図であって、前述した各図面と同一部分には同一符号を付してその詳しい説明を省略し、ここでは異なる部分について主に述べる。なお、以下の各実施形態も同様にして重複した説明を省略する。
【００４２】
すなわち、本実施形態は、第１の実施形態の変形例であり、前述した演出効果に加え、直接的に映像を水鏡に投影する場合の演出効果をも実現するものであって、具体的には図８及び図９に示すように、水鏡４の水面に上方から直接的に任意の映像Ｐovを投影するための水面用投影装置１０を備えている。なお、図９中、ヨット及びかもめの反射映像Ｐｒに重なった花模様の映像が映像Ｐovであり、この映像Ｐovも動画又は静止画のいずれでもよい。また、水鏡４の内壁及び底部の色は、黒、青又はグレー等の任意の色が使用可能であるが、本実施形態のように直接映像と反射映像に適用する場合、グレー、シルバーなどが好ましく、映像の内容に応じて青、白などの任意の色を使用するのが良い。映像の内容に応じた任意の色とは、例えば映像ソフトに空や海の映像が多い場合、その色がきれいに見えるように、また強調させるために使用する青色を意味している。
【００４３】
以上のような構成により、第１の実施形態の効果に加え、水面用投影装置１０から投影された映像Ｐovが水鏡４の水面に入射し、その水面及び／又は底面で反射した反射映像Ｐｒと他の映像Ｐovとの重なりを鑑賞できるので、より一層、映像による演出効果を期待することができる。
【００４４】
なお、水面用投影装置１０は、必ずしも水鏡４の上方に配置される必要はなく、例えば水鏡４の上方に配置された反射ミラーに任意の位置から映像を投影することにより、結果的に水鏡４の水面に映像を投影させるように変形してもよい。この変形が可能なことは、以下の対応する実施形態及び変形例でも同様である。
【００４５】
（第３の実施形態）
図１０は本発明の第３の実施形態に係る映像表示システムの平面構成を示す模式図であり、同システムの断面構成は図２又は図８に示す通りである。
すなわち、本実施形態は、第１又は第２の実施形態の変形例であり、図１０に示すように、水鏡４が光軸方向とは直交する方向に長手方向を有するものであり、複数のスクリーン２が水鏡４の長手方向に平行に配置されており、複数の投影装置１がスクリーンと対向配置されている。また、第２の実施形態の変形例とする場合、水鏡４のほぼ全域に映像Ｐovを投影可能なように複数台の水面用投影装置１０が水鏡４の上方に個別に配置されている。
【００４６】
以上のような構成により、長方形の施設に映像表示システムを設ける場合でも、適用した第１又は第２の実施形態の効果を得ることができる。
【００４７】
（第４の実施形態）
図１１は本発明の第４の実施形態に係る映像表示システムの平面構成を示す模式図であり、図１２は図１１の１２−１２線矢視断面図であり、図１３は図１１の１３−１３線矢視断面図である。
【００４８】
すなわち、本実施形態は、第１又は第２の実施形態の変形例であり、図１１乃至図１３に示すように、水鏡４の中心に仮想的に考えた垂直軸（図示せず）に対し、この垂直軸を中心にして回転対称となる構成としたものである。
【００４９】
ここで、平面構成を図１１に示すように、円形の水鏡４の周囲を複数の座席３が囲むように配置され、これら複数の座席３の周囲を複数のスクリーン２が囲むように配置されている。なお、各スクリーン２に映像を投影するための各投影装置１は、２台を代表させて図示するが、実際には多数台が各スクリーン２に応じて個別に対向配置されている。また、第２の実施形態の具体例とする場合、水面用投影装置１０が水鏡４の上方に個別に配置されている。
【００５０】
以上のような構成によれば、適用した第１又は第２の実施形態の効果に加え、水鏡４を中心に全周囲をスクリーン２で構成することにより、水面を中心にした空間全体を演出でき、３６０度シアターとして一体感のある空間を実現することができる。
また、スクリーン２と水鏡４とが合わさった映像により、内壁と底部が映像で包み込まれた３６０度シアターを実現するので、高い没入感の映像表示を実現することができる。
【００５１】
なお、本願発明は、上記各実施形態に限定されるものでなく、実施段階ではその要旨を逸脱しない範囲で種々に変形することが可能である。
例えば第４の実施形態では、平面構造として、水鏡４を中心に配置し、水鏡４周囲に座席３を配置し、座席３の周囲にスクリーン２を配置する場合について説明したが、これに限らず、座席３と水鏡４との配置を交換した平面構造とし、すなわち座席３群を中心に配置し、座席３群を囲むように環状の水鏡４を配置し、水鏡４の周囲にスクリーン２を配置する構成に変形しても、水鏡４に映り込んだスクリーン２の映像を鑑賞できる構成に変わりはないので、本発明の範囲に包含されることは言うまでもない。
【００５２】
また、図２等に示した配置関係（スクリーン２と座席３との間に水鏡（液体槽）が位置する配置関係）を含む映像表示システムであれば、各要素の寸法や要素間の距離、高さなどを適宜な値に設計し、また、平面構造を長方形（第３の実施形態）、円形（第４の実施形態）、楕円形、小判形、扇形、台形など適宜な構造に変形したとしても、当然に本発明の範囲に包含される。
【００５３】
また、スクリーン２に映像を投影する投影装置１は、スクリーン２よりも座席３側、又は座席３とは反対側、のいずれに位置するように配置してもよい。
また、スクリーン２及び投影装置１に代えて、液晶ディスプレイ装置などの任意の表示装置をスクリーン２の位置に配置しても、本発明と同様の効果を得ることができる。
【００５４】
また、各実施形態は可能な限り適宜組み合わせて実施してもよく、その場合、組み合わされた効果が得られる。
例えば、第３及び第４の実施形態を組合せることにより、向かい合った両側の鑑賞者８が長方形の水鏡４を介してそれぞれ向かい側のスクリーン２の映像Ｐｄ，Ｐｒを鑑賞する構成に変形してもよい。また、この変形例に水面用投影装置１０を付加した構成としてもよい。
さらに、上記各実施形態には種々の段階の発明が含まれており、開示される複数の構成要件における適宜な組み合わせにより種々の発明が抽出され得る。例えば実施形態に示される全構成要件から幾つかの構成要件が省略されることで発明が抽出された場合には、その抽出された発明を実施する場合には省略部分が周知慣用技術で適宜補われるものである。
【００５５】
【発明の効果】
以上説明したように請求項１に対応する発明によれば、液体槽を含む空間を演出する際に、壁面の映像を液体槽の液面に映り込ませることにより、演出効果を向上できる。
【００５６】
また、請求項１に対応する発明によれば、前述した効果に加え、液面の反射映像に他の映像を重ねて鑑賞できるようにしたので、さらに演出効果を向上できる。
【００５７】
さらに、請求項１に対応する発明によれば、前述した効果に加え、液面に波紋を生成することにより、得られた波紋に応じて、より一層、演出効果を向上できる。
また、液体槽を中心に全周囲をスクリーンで構成することにより、液面を中心にした空間全体を演出でき、３６０度シアターとして一体感のある空間を実現できる。  
また、スクリーンと液体槽とが合わさった映像により、内壁と底部が映像で包み込まれた３６０度シアターを実現するので、高い没入感の映像表示を実現できる。
【図面の簡単な説明】
【図１】本発明の第１の実施形態に係る映像表示システムの平面構成を示す模式図
【図２】図１の２−２線矢視断面図
【図３】同実施形態における変形構成を示す模式図
【図４】同実施形態における映像の見え方を示す模式図
【図５】同実施形態における変形構成の場合の映像の見え方を示す模式図
【図６】同実施形態における反射映像の見え方を説明するための模式図
【図７】同実施形態における列番号による鑑賞のされ方の違いを説明するための模式図
【図８】本発明の第２の実施形態に係る映像表示システムの断面構成を示す模式図
【図９】同実施形態における映像の見え方を示す模式図
【図１０】本発明の第３の実施形態に係る映像表示システムの平面構成を示す模式図
【図１１】本発明の第４の実施形態に係る映像表示システムの平面構成を示す模式図
【図１２】図１１の１２−１２線矢視断面図
【図１３】図１１の１３−１３線矢視断面図
【符号の説明】
１，１０…投影装置
２…スクリーン
３…座席
４…水鏡
５…波紋生成装置
６…壁面
７…床面
８…鑑賞者
９…光線
Ｐ，Ｐov…映像
Ｐｄ…直接映像
Ｐｒ…反射映像
【図１】
0003994789.tif 000002
【図２】
0003994789.tif 000003
【図３】
0003994789.tif 000004
【図４】
0003994789.tif 000005
【図５】
0003994789.tif 000006
【図６】
0003994789.tif 000007
【図７】
0003994789.tif 000008
【図８】
0003994789.tif 000009
【図９】
0003994789.tif 000010
【図１０】
0003994789.tif 000011
【図１１】
0003994789.tif 000012
【図１２】
0003994789.tif 000013
【図１３】
0003994789.tif 000014